(57)【特許請求の範囲】
【請求項１】
走行車台（２）の上側に載置したエンジン（７）の外側に回転自在な吸引ファン（７ａ）を設け、該吸引ファン（７ａ）の外側にラジエータ（６）を設け、該ラジエータ（６）の外側にエンジンカバー（９）を設け、該エンジンカバー（９）には塵埃の吸入を防止する防塵用網（１１）を備えた外気吸入用の吸入口（１０）を設け、該吸入口（１０）の中央部にはエンジンカバー（９）の裏側面に装着した左右方向の支持板（９ｄ）を設け、吸入口（１０）の一部を塞いで外気の吸入を遮蔽する扇形状の第１塞部（９ｂ）を該吸入口（１０）の中央部から下部側に向けて設け、内側面に第１ギヤー（２６ｂ）を設けた円形状の筒体（２６ａ）と該筒体（２６ａ）の中心部に設けた支持メタル（２６ｃ）とを支持リブ（２７ａ）で接続すると共に該支持リブ（２７ａ）部に外気の吸入を遮蔽する扇形状の第２塞部（２７ｂ）を備えた回転体（２６）を設け、前記支持メタル（２６ｃ）を支持板（９ｄ）に設けた支持軸（９ｃ）で回転自在に軸支し、吸引ファン（７ａ）によって吸入される外気の影響を受けて防塵用網（１１）の外面に付着している塵埃が、回転体（２６）の回転によって第２塞部（２７ｂ）と共に第１塞部（９ｂ）の部位まで防塵用網（１１）の外面上を移動し、該第１塞部（９ｂ）と第２塞部（２７ｂ）とが重合状態になったときに吸入される外気の影響を受けなくなって防塵用網（１１）の外面から落下して排出される構成としたことを特徴とするコンバインの防塵装置。
【請求項２】
前記第１ギヤー（２６ｂ）に油圧式の回転型オイルダンパー（３０ａ）の軸（３０ｂ）に設けた第２ギヤー（３０ｃ）を噛み合わせ、該回転型オイルダンパー（３０ａ）によって第１ギヤー（２６ｂ）に一定の付加を掛けて回転体（２６）が常に一定の回転速度で回転する構成としたことを特徴とする請求項１に記載のコンバインの防塵装置。
【請求項３】
前記回転体（２６）の上部側に風車（２９）を設け、該風車（２９）の回転軸（２９ａ）の先端部に設けた第３ギヤー（２９ｂ）と前記第１ギヤー（２６ｂ）とを噛み合わせ、吸引ファン（７ａ）で吸入される外気によって風車（２９）が回転すると、この風車（２９）の回転に連動して回転体（２６）が回転駆動される構成としたことを特徴とする請求項１又は請求項２に記載のコンバインの防塵装置。
【発明の詳細な説明】
【０００１】
【発明の属する技術分野】
この発明は、コンバインの防塵装置に関するものである。
【０００２】
【従来の技術】
コンバインの走行車台の上側で、操縦席の下側には、ラジエータを外側に設けたエンジンを載置し、走行車台の上側でエンジンのラジエータの外側には、エンジンカバーを設けたコンバインのエンジンを始動して、このコンバインを走行させ、前部に設けた刈取機で立毛穀稈は刈取りされ、脱穀機へ供給されて脱穀され、脱穀済み穀粒はコンバインへ一時貯留される。
【０００３】
この収穫作業のときは、エンジンカバーに設けた外気を吸入する吸入口に張設した防塵用網部から外気が吸入されて、ラジエータ、及びエンジンが冷却される。
【０００４】
【発明が解決しようとする課題】
エンジンのラジエータ部へ外気を吸入するエンジンカバーの吸入口に張設した防塵用網には、収穫作業中に発生する藁屑、草屑、及び塵埃等が、この防塵用網へ付着するが、この付着物を除去しないと、エンジンの性能が低下したり、又、焼付が発生することがあり、このために、作業者が手で除去していたが、この除去に手間と時間とがかかっていたが、この発明により、この問題点を解決しようとするものである。
【０００５】
【課題を解決するための手段】
このために、請求項１に記載の発明は、走行車台（２）の上側に載置したエンジン（７）の外側に回転自在な吸引ファン（７ａ）を設け、該吸引ファン（７ａ）の外側にラジエータ（６）を設け、該ラジエータ（６）の外側にエンジンカバー（９）を設け、該エンジンカバー（９）には塵埃の吸入を防止する防塵用網（１１）を備えた外気吸入用の吸入口（１０）を設け、該吸入口（１０）の中央部にはエンジンカバー（９）の裏側面に装着した左右方向の支持板（９ｄ）を設け、吸入口（１０）の一部を塞いで外気の吸入を遮蔽する扇形状の第１塞部（９ｂ）を該吸入口（１０）の中央部から下部側に向けて設け、内側面に第１ギヤー（２６ｂ）を設けた円形状の筒体（２６ａ）と該筒体（２６ａ）の中心部に設けた支持メタル（２６ｃ）とを支持リブ（２７ａ）で接続すると共に該支持リブ（２７ａ）部に外気の吸入を遮蔽する扇形状の第２塞部（２７ｂ）を備えた回転体（２６）を設け、前記支持メタル（２６ｃ）を支持板（９ｄ）に設けた支持軸（９ｃ）で回転自在に軸支し、吸引ファン（７ａ）によって吸入される外気の影響を受けて防塵用網（１１）の外面に付着している塵埃が、回転体（２６）の回転によって第２塞部（２７ｂ）と共に第１塞部（９ｂ）の部位まで防塵用網（１１）の外面上を移動し、該第１塞部（９ｂ）と第２塞部（２７ｂ）とが重合状態になったときに吸入される外気の影響を受けなくなって防塵用網（１１）の外面から落下して排出される構成としたことを特徴とするコンバインの防塵装置とした。
【０００６】
請求項２に記載の発明は、前記第１ギヤー（２６ｂ）に油圧式の回転型オイルダンパー（３０ａ）の軸（３０ｂ）に設けた第２ギヤー（３０ｃ）を噛み合わせ、該回転型オイルダンパー（３０ａ）によって第１ギヤー（２６ｂ）に一定の付加を掛けて回転体（２６）が常に一定の回転速度で回転する構成としたことを特徴とする請求項１に記載のコンバインの防塵装置とした。
請求項３に記載の発明は、前記回転体（２６）の上部側に風車（２９）を設け、該風車（２９）の回転軸（２９ａ）の先端部に設けた第３ギヤー（２９ｂ）と前記第１ギヤー（２６ｂ）とを噛み合わせ、吸引ファン（７ａ）で吸入される外気によって風車（２９）が回転すると、この風車（２９）の回転に連動して回転体（２６）が回転駆動される構成としたことを特徴とする請求項１又は請求項２に記載のコンバインの防塵装置とした。
【０００７】
【０００８】
【０００９】
【００１０】
【発明の効果】
請求項１に記載の発明によると、吸引ファン（７ａ）によって吸入される外気の影響を受けて防塵用網（１１）の外面に付着している塵埃が、回転体（２６）の回転によって第２塞部（２７ｂ）と共に第１塞部（９ｂ）の部位まで移動し、該第１塞部（９ｂ）と第２塞部（２７ｂ）とが重合状態になったときに吸入される外気の影響を受けなくなって防塵網（１１）の外面から落下し、機外へ排出することができる。
これにより、作業者が塵埃を除去する手間が不要となり、収穫作業の能率を向上させることができる。また、塵埃が除去されることにより、エンジン（７）の性能向上および焼付防止を図ることができる。
【００１１】
請求項２に記載の発明によると、上記請求項１に記載の発明の効果に加え、遮蔽装置（１２）の回転体（２６）の回転速度を常に一定の回転速度で回転する構成として、防塵用網（１１）に付着した塵埃を確実に除去することができる。
請求項３に記載の発明によると、上記請求項１又は請求項２に記載の発明の効果に加え、回転体（２６）を吸入される外気で回転する風車（２９）によって回転駆動させることにより、構成を簡単にでき、低コストで実現することができる。
【００１２】
【発明の実施の形態】
以下、本発明の一実施例を図面に基づいて説明する。
コンバイン１の走行車台２の上側の前部には、操作室３を形成する操作室フレーム４を設け、この操作室フレーム４の一方側（右側）には、操縦者（作業者）が操作室３内へ昇降するときに開閉操作する開閉扉５を開閉自在に設けると共に、走行車台２の上側には、エンジン７を載置した構成である。該エンジン７の外側には、開閉自在にラジエータ６を設けた構成である。
【００１３】
前記エンジン７の外側で、走行車台２の上側で開閉扉５の後側には、エンジンカバー９を開閉自在に設けた構成である。このエンジンカバー９には、外気を吸入する吸入口１０を設け、この及入口１０には、防塵用網１１を張設した構成である。
【００１４】
前記防塵用網１１部には、この防塵用網１１に付着した藁屑、草屑、及び塵埃等の付着物を除去する回転自在な遮蔽装置１２を設けた構成である。この遮蔽装置１２、及びエンジンカバー９等を主に図示して説明する。
前記コンバイン１の走行車台２の前部には、図９、及び図１０で示す如く刈取機１３を設け、この刈取機１３の刈刃装置１４で刈取られた刈取り穀稈は、この刈取機１３の穀稈掻込移送装置１５で後方上部へ移送され、脱穀機１６のフィードチエン１７ａと挟持杆１７ｂとへ受渡しされ、これらフィードチエン１７ａと挟持杆１７ｂとで引継ぎ移送して、この移送中にこの脱穀機１６内で脱穀する構成である。
【００１５】
前記コンバイン１の走行車台２の下側には、土壌面を走行する左右一対の走行クローラ１８ａを張設した走行装置１８を配設し、走行車台２の上側に載置した脱穀機１６の平面視右横側には、脱穀済みで選別済みの穀粒を回収して、一時貯留する穀粒貯留タンク１６ａを装着した構成である。
【００１６】
前記穀粒貯留タンク１６ａの後側には、この穀粒貯留タンク１６ａ内に貯留した穀粒を機外へ排出する縦移送螺旋１９ａを内装した排出支持筒１９を略垂直姿勢で回動自在に支承して設け、この排出支持筒１９の上端部には、その全長がコンバイン１の前後長に亘る機外へ穀粒を排出する排出螺旋２０ａを収縮自在に内装した排出オーガ２０を収縮自在、上下回動自在、左右旋回自在に前後方向に配設した構成である。
【００１７】
前記脱穀機１６の前部で走行車台２の前側に設けた刈取機１３は、前端部から順次刈取る立毛穀稈を分離するナローガイド２１ａ、及び分草体２１ｂと、分離された穀稈を引起す引起装置２３ａと、引起された穀稈を掻込みする穀稈掻込移送装置１５の掻込装置２２ａと、掻込みされた穀稈を刈取る刈刃装置１４と、刈取られた穀稈を後方上部へ移送する穀稈掻込移送装置１５の移送装置２２ｂと、この刈取機１３には、油圧駆動による伸縮シリンダ２３等を設けてなる構成である。該伸縮シリンダ２３の作動により、この刈取機１３を土壌面に対して昇降自在に作用させる構成である。
【００１８】
前記脱穀機１側で走行車台２の上側前部には、操作室３を操作室フレーム４で形成し、この操作室３内には、コンバイン１を始動、停止、各部を操作、及び調節操作する操作装置３ａと、操縦作業者が搭乗する操縦席８等を設け、この操作室フレーム４の下側で走行車台２の上側面には、エンジン７を載置すると共に、後方には、穀粒貯留タンク１６ａを配設した構成である。これら脱穀機１６と、刈取機１３と、エンジン７と、走行装置１８等により、コンバイン１の機体１ａを構成している。
【００１９】
前記エンジン７は、図６〜図８で示す如く走行車台２の上側で、枠部材２４ａと前フレーム２４ｂとで形成した箱体２４内へ載置した構成である。エンジン７の前側には、吸引ファン７ａを回転自在に設け、この吸引ファン７ａの外側には、ラジエータ６を設け、このラジエータ６は枠部材２４ａに設けた受具２５ａで回動自在で着脱自在に支持させて設けた構成である。ラジエータ６の前側には、エンジンカバー９を設け、このエンジンカバー９は枠部材２４ａに設けた受具２５ｂで回動自在で着脱自在に支持させて設けた構成である。
【００２０】
前記エンジン７の吸引ファン７ａの回転駆動により、外気はエンジンカバー９に設けた各吸入口１０に張設した各防塵用網１１から吸入され、この吸入外気風により、ラジエータ６、及びエンジン７等が冷却される構成である。
前記操縦席８は、図６で示す如くエンジンカバー９の内側面に設けた支持杆９ａで支持させて設け、操縦席８の前側下部には、仕切板８ａを設けた構成である。
【００２１】
前記エンジンカバー９は、図１、及び図５で示す如く箱形状に形成した構成であり、外側面には、外気を吸入する上部、中央部、及び下部に各吸入口１０を設け、この各吸入口１０部には、収穫作業中に刈取機１３で発生した藁屑、草屑、及び塵埃等の吸入を防止する防塵用網１１を張設した構成である。
【００２２】
前記エンジンカバー９の中央部の外気を一番多く吸入する吸入口１０部は外方向へ突出させ、この吸入口１０部には、この吸入口１０に張設した防塵用網１１に付着した藁屑、草屑、及び塵埃等の付着物を除去する遮蔽装置１２を回転自在に設けた構成である。エンジンカバー９の中央部の吸入口１０の中央部から下部側に向けて、図１で示す如く扇形状の塞部（第１塞部）９ｂを設け、吸入口１０の一部を塞いだ構成であると共に、中央部の左右方向には、遮蔽装置１２の中心部に設けた支持メタル２６ｃを軸支する支持軸９ｃを固着して設けた支持板９ｄを裏側面に装着して設けた構成である。
【００２３】
前記遮蔽装置１２は、図１〜図５で示す如く円形状の回転体２６は、円形状の筒体２６ａの内側面には、ギヤー（第１ギヤー）２６ｂを設けると共に、中心部には、支持メタル２６ｃを設け、これら筒体２６ａと支持メタル２６ｃとは、支持リブ２７ａで接続した構成である。この回転体２６の筒体２６ａは、防塵用網１１に複数個設けた支持具２８で支持させると共に、中心部の支持メタル２６ｃを支持板９ｄに設けた支持軸９ｃで軸支した構成であり、この回転体２６を回転自在に装着した構成である。又、回転体２６の筒体２６ａと中心部の支持メタル２６ｃとの間で支持リブ２７ａ部には、扇形状の塞部（第２塞部）２７ｂを設けた構成である。
【００２４】
前記回転体２６の上部側には、図１〜図３で示す如く吸入する外気風で回転する風車２９を設け、この風車２９の風車軸（回転軸）２９ａの先端部には、ギヤー（第３ギヤー）２９ｂを軸支して設け、このギヤー２９ｂと遮蔽装置１２の回転体２６のギヤー２６ｂとは噛合した構成である。吸入外気風によって風車２９が回転すると、この回転に連動して、遮蔽装置１２を回転駆動する構成である。
【００２５】
前記遮蔽装置１２は吸入外気風で回転する風車２９によって、回転駆動させることにより、構成が簡単であり、又、大幅なコスト低減になる構成である。
前記遮蔽装置１２の回転体２６のギヤー２６ｂ部には、図２、及び図３で示す如く回転規制装置３０を設けた構成であり、この回転規制装置３０は油圧式の回転型オイルダンパー３０ａの軸３０ｂ端部にギヤー（第２ギヤー）３０ｃを軸支した構成である。このギヤー３０ｃと回転体２６のギヤー２６ｂとは、噛合する構成であり、この回転規制装置３０の回転型オイルダンパー３０ａにより、回転体２６のギヤー２６ｂへ一定の負荷を掛けて、遮蔽装置１２の回転体２６が常時所定の回転速度で回転駆動する構成である。
【００２６】
前記回転規制装置３０を遮蔽装置１２に設け、この遮蔽装置１２の回転体２６の回転速度を常に所定（一定）の回転速度で回転する構成として、防塵用網１１に付着した付着物を確実に除去する最適回転速度に設定した構成である。
前記遮蔽装置１２の回転体２６の支持リブ２７ａに設けた塞部２７ｂと、エンジンカバー９の防塵用網１１との間の隙間は、最小隙間に形成した構成である。
【００２７】
前記遮蔽装置１２の作用は、図４−（イ）〜図４−（ハ）で示す如く作用する構成である。遮蔽装置１２の回転体２６の塞部２７ｂが回転することにより、この塞部２７ｂにより、エンジンカバー９の防塵用網１１に付着した付着物は、順次回転方向へ、図４−（イ）、及び図４−（ロ）の如く押され、この塞部２７ｂ部がエンジンカバー９の塞部９ｂ部迄回転すると、このエンジンカバー９のこの塞部９ｂでは、外気風が吸入されていないことにより、この塞部９ｂ位置まで回転体２６の塞部２７ｂで押され来た付着物は、吸入外気風の影響を受けないことにより、図４−（ハ）の如くこの塞部９ｂ位置で下部へ落下し、機外へ排出される構成である。
【００２８】
前記エンジンカバー９の塞部９ｂの外側には、図２、図３の２点鎖線で示す如く、又、図１１で示す如く断面形状Ｌ字状の風防板３１を設けた構成である。
これにより、前記エンジンカバー９の塞部９ｂと、遮蔽装置１２の回転体２６の塞部２７ｂとが重合状態になったときに、落下する付着物が再度エンジン７側へかたまりとなって、外乱風の発生により、再度吸入されてラジエータ６への付着を防止することができる。
【００２９】
前記エンジンカバー９は、図１２で示す如くこのエンジンカバー９の下方部を内側へ向けて所定角度（α）で傾斜させて設けた構成である。
これにより、前記エンジンカバー９の吸入口１０部に装着して設けた防塵用網１１に付着した付着物の落下に対して、摩擦抵抗が軽減した。
【００３０】
前記エンジンカバー９の吸入口１０に設ける塞部９ｂは、図５で示す如くこの吸入口１０の下方部に位置させて設けた構成である。遮蔽装置１２の回転体２６に設ける塞部２７ｂは、上方に位置させると共に、コンバイン１の進行方向に対して、後方（向って左側）へ回転駆動する構成である。
【００３１】
前記エンジンカバー９の吸入口１０の塞部９ａと、回転体２６の塞部２７ｂとの関係は、図５で示す如く関係に形成することにより、吸気口１０に張設した防塵用網１１に付着した付着物の除去が確実に行われる構成である。
前記走行クローラ１８ａの各輪車を支持する外クローラフレーム３２ａの前後両端部には、図１３、及び図１４で示す如く弾性材の、例えば、ゴム材、又は樹脂材等よりなる外スクレーパ３３ａ，３３ａを設けると共に、内クローラフレーム３２ｂの前後方向略中央部には、内スクレーパ３３ｂを設けた構成である。
【００３２】
前記外・内スクレーパ３３ａ，３３ａ，３３ｂは、走行クローラ１８ａの内側面へ近接させて設け、この走行クローラ１８ａの内側面に付着する泥を除去する構成である。
これにより、前進走行時に、前記走行クローラ１８ａ内に進入した泥は、後端部で巻き上げられて、再度該走行クローラ１８ａ下側の内側面へ落下していたが、この泥を外・内スクレーパ３３ａ，３３ａ，３３ｂにより、走行クローラ１８ａから外へ排出される。又、各スクレーパ３３ａ，３３ａ，３３ｂにより、大きな土塊は粉砕されることにより、走行クローラ１８ａの回転がスムーズである。
【００３３】
前記刈取機１３の穀稈掻込移送装置１５の移送装置２２ｂによって、形成される穀稈搬送経路中には、刈取られて移送される刈取り穀稈に接触作用することにより、脱穀機１６へ穀稈供給の有無を検出する穀稈センサ３４を設けた構成である。走行車台２の前端部に装架された走行用のミッションケース３５内の伝動経路中には、その出力回転数に基づく走行車速を検出する車速センサ３５ａを設けた構成である。
【図面の簡単な説明】
【図１】  エンジンカバー、及び遮蔽装置部の拡大側面図
【図２】  エンジンカバー、及び遮蔽装置部の拡大側面図
【図３】  エンジンカバー、及び遮蔽装置部の拡大正断面図
【図４】  遮蔽装置の作用図
【図５】  エンジンカバー、及び遮蔽装置部の拡大側面図
【図６】  エンジンカバーと、ラジエータと、エンジン部との拡大側面斜視図
【図７】  エンジンカバーと、ラジエータと、エンジン部との拡大平面図
【図８】  エンジンカバーと、ラジエータと、エンジン部との拡大平面図
【図９】  コンバインの左側の全体側面図
【図１０】  コンバインの右側の一部側面図
【図１１】  他の実施例を示す図で、図２のＡ−Ａ断面図
【図１２】  他の実施例を示す図で、エンジンカバー、及び遮蔽装置部の拡大正断面図
【図１３】  他の実施例を示す図で、走行クローラ部の側面斜視図
【図１４】  他の実施例を示す図で、走行クローラ部の正面図
【符号の説明】
２ 走行車台
６    ラジエータ
７    エンジン
７ａ 吸引ファン
９    エンジンカバー
９ｂ 塞部（第１塞部）
９ｄ 支持板
９ｃ 支持軸
１０    吸入口
１１    防塵用網
２６ 回転体
２６ａ 筒体
２６ｂ ギヤー（第１ギヤー）
２６ｃ 支持メタル
２７ａ 支持リブ
２７ｂ 塞部（第２塞部）
２９    風車
２９ａ 風車軸（回転軸）
２９ｂ ギヤー（第３ギヤー）
３０ａ 回転型オイルダンパー
３０ｂ 軸
３０ｃ ギヤー（第２ギヤー）
【図１】
0004501255.tif 000002
【図２】
0004501255.tif 000003
【図３】
0004501255.tif 000004
【図４】
0004501255.tif 000005
【図５】
0004501255.tif 000006
【図６】
0004501255.tif 000007
【図７】
0004501255.tif 000008
【図８】
0004501255.tif 000009
【図９】
0004501255.tif 000010
【図１０】
0004501255.tif 000011
【図１１】
0004501255.tif 000012
【図１２】
0004501255.tif 000013
【図１３】
0004501255.tif 000014
【図１４】
0004501255.tif 000015